(57)【特許請求の範囲】
【請求項１】
プリント基板に固着された枠体と、該枠体に取外し可能に取付けられるソケットブロックと、該ソケットブロック内に配設されるコンタクトピン上に装着されるＩＣパッケージと、前記ソケットブロックとコンタクトピン上に載置される押え板とを有するＩＣソケットのコンタクトピンの交換方法において、
前記枠体に枢支された前記押え板保持部材が、前記枠体に軸回りに回動可能に支持されると共に横方向に滑動可能に枢支され、前記ソケットブロックに形成された弾性変位可能な錠止アームを押圧して前記ソケットブロックを前記枠体に取外し可能に錠止する錠止手段を解錠できることを特徴とするＩＣソケットのコンタクトピンの交換方法。
【請求項２】
前記押え板保持部材を枢支する軸が、前記枠体の横方向の切欠き通路内に保持されると共に、該切欠き通路に沿って移動できることを特徴とする請求項１記載のＩＣソケットのコンタクトピンの交換方法。
【請求項３】
プリント基板に固着された枠体と、該枠体に取外し可能に取付けられるソケットブロックと、該ソケットブロックに配設されるコンタクトピン上に装着されるＩＣパッケージと、前記ソケットブロックとコンタクトピン上に載置される押え板と、前記ソケットブロックを前記枠体に離脱可能に錠止する錠止手段と、前記ソケットブロックに前記押え板を取外し可能に保持するように前記枠体に枢支された押え板保持部材とを有するＩＣソケットにおいて、
前記押え板保持部材が、前記枠体に軸回りに回動可能に支持されると共に横方向に滑動可能に枢支され、前記ソケットブロックに形成された弾性変位可能な錠止アームを押圧して前記錠止手段を解錠できることを特徴とするＩＣソケット。
【請求項４】
前記押え板保持部材を枢支する軸が、前記枠体の横方向の切欠き通路内に保持されると共に、該切欠き通路に沿って移動できることを特徴とする請求項３記載のＩＣソケット。
【発明の詳細な説明】
【０００１】
【発明の属する技術分野】
本発明は、ＩＣソケットのコンタクトピンの交換方法に係わるもので、特に、ＩＣソケットをプリント基板から取り外さずに実装したまま、ＩＣソケットに用いられるコンタクトピンを一括して交換する方法に関するものである。
【０００２】
【従来の技術】
従来、電気部品としてのＩＣパッケージ等において、プリント基板に固着された枠体に、コンタクトピンを装着したソケットブロックを塔載して押え板にて保持したＩＣソケットを有するＩＣパッケージが知られている。
【０００３】
【発明が解決しようとする課題】
従来のこのようなＩＣパッケージにおいて、コンタクトピンを交換する場合には、ＩＣソケットをプリント基板から取外してコンタクトピンを交換しなければならない。
【０００４】
従って、プリント基板からＩＣソケットを取外してコンタクトピンを交換するのは厄介であり、時間がかかって面倒である。
【０００５】
従って、本発明の目的は、このような従来における問題を解決するために、プリント基板を実装したままでもコンタクトピンを一括して交換することができるようにしたＩＣソケットのコンタクトピンの交換方法を提供することにある。
【０００６】
【課題を解決するための手段】
上述の目的を達成するために、本発明のＩＣソケットのコンタクトピンの交換方法は、プリント基板に固着された枠体と、該枠体に取外し可能に取付けられるソケットブロックと、該ソケットブロック内に配設されるコンタクトピン上に装着されるＩＣパッケージと、前記ソケットブロックとコンタクトピン上に載置される押え板とを有するＩＣソケットのコンタクトピンの交換方法において、前記枠体に枢支された前記押え板保持部材が、前記枠体に軸回りに回動可能に支持されると共に横方向に滑動可能に枢支され、前記ソケットブロックに形成された弾性変位可能な錠止アームを押圧して前記ソケットブロックを前記枠体に取外し可能に錠止する錠止手段を解錠できることを特徴とする。
【００１０】
また、本発明のＩＣソケットのコンタクトピンの交換方法は、前記押え板保持部材を枢支する軸が、前記枠体の横方向の切欠き通路内に保持されると共に、該切欠き通路に沿って移動できることを特徴とする。
【００１１】
さらに、本発明のＩＣソケットは、プリント基板に固着された枠体と、該枠体に取外し可能に取付けられるソケットブロックと、該ソケットブロックに配設されるコンタクトピン上に装着されるＩＣパッケージと、前記ソケットブロックとコンタクトピン上に載置される押え板と、前記ソケットブロックを前記枠体に離脱可能に錠止する錠止手段と、前記ソケットブロックに前記押え板を取外し可能に保持するように前記枠体に枢支された押え板保持部材とを有するＩＣソケットにおいて、
前記押え板保持部材が、前記枠体に軸回りに回動可能に支持されると共に横方向に滑動可能に枢支され、前記ソケットブロックに形成された弾性変位可能な錠止アームを押圧して前記錠止手段を解錠できることを特徴とする。
【００１５】
さらにまた、本発明のＩＣソケットは、前記押え板保持部材を枢支する軸が、前記枠体の横方向の切欠き通路内に保持されると共に、該切欠き通路に沿って移動できることを特徴とする。
【００１６】
本発明のその他の目的や特徴および利点は、添付図面に示される本発明の実施形態についての以下の詳細な説明から明らかである。
【００１７】
【発明の実施の形態】
（実施例１）
図１および図２は、本発明におけるＩＣソケットのコンタクトピンの交換方法を実施するための実施例１を図示、説明するためのＩＣソケットを示す平面図および中央縦断面図である。
【００１８】
図１および図２に示されるように、本発明が適用されるＩＣソケット１は、プリント基板２に固着された枠体３と、この枠体３に着脱自在に装着されるソケットブロック４と、このソケットブロック４に装着される多数のコンタクトピン５と、ソケットブロック４に設けられた弾性変位可能な錠止アーム６と、ソケットブロック４に装着されるＩＣパッケージ等の電気部品Ｈと、ソケットブロック４の上に載置される押え板７と、押え板７をソケットブロック４に保持する押え板保持部材８と、ソケットブロック４を枠体３に離脱可能に錠止する錠止爪１８を含む錠止手段とを有しており、コンタクトピン５の上にＩＣパッケージ等の電気部品Ｈが置かれて押え板７が配置され、押え板保持部材８によって保持されるように構成されている。
【００１９】
枠体３は中央に空所を有するようにほぼ四角形の枠状に形成され、四隅においてボルト９によってプリント基板２に固着されており、左右両側部に一対宛ての押え板保持部材８が軸１０によってそれぞれ枢動可能に設けられると共に、内側に向ってほぼ水平横方向に移動可能に設けられており、この押え板保持部材８の内側端に設けられているフィンガー状の押圧部１１が錠止アーム６を内方に向って押圧することによって変位できるようになっている。また、これら押え板保持部材８は、それぞれ上方部分にほぼ直角に延びて突出する係止アーム１２が設けられており、この係止アーム１２に係止爪１３が設けられていて、押え板７の係止溝１４に係合されるように形成されている。
【００２０】
ソケットブロック４は、中央部分にコンタクトピン５のための多数の孔１６が整列して設けられており、各々の孔１６の中にコンタクトピン５がそれぞれ挿入されていて、対応するプリント基板２のコンタクトと接続できるようになっている。さらに、ソケットブロック４の中央部分には窪み部１７が設けられており、この窪み部１７内にＩＣパッケージＨ等の電気部品が配置されて、押え板７の突出部１５がＩＣパッケージＨを軽く押圧して保持できるべく配置されるようになっている。さらにまた、ソケットブロック４の錠止アーム６は、ソケットブロック４の上面から先ず外方に延び、次いで、下方にほぼ直角に屈曲して垂直な状態に延びており、その先端部分には外側に向って突出する錠止爪１８が設けられていて、枠体３に対応するように設けられた突部１９と係合できるようになっている。
【００２１】
従って、枠体３の中央の空所部分内にソケットブロック４を収容するように挿入して、錠止アーム６の錠止爪１８を枠体３の突部１９と係合させることによってソケットブロック４を枠体３の装着することができるし、錠止アーム６を内方に変位して錠止爪１８を突部１９から離し、ソケットブロック４を上方に引き上げれば、ソケットブロック４を枠体３から取り出すことができ、これら錠止アーム６の錠止爪１８と枠体３の突部１９とによって錠止手段が形成されており、錠止爪１８と突部１９との係合、離脱によって錠止手段の錠止と解錠とが行なわれるようになっている。
【００２２】
また、枠体３には、図２に拡大して示されるように押え板保持部材８の軸１０が移動するための横方向にほぼ水平に延びる切欠き通路２０が形成されており、この切欠き通路２０内に、互いに内側に向って突出する一対の突起２１が設けられていて、この切欠き通路２０内において押え板保持部材８が軸１０を中心として回動しようとする時に、これら突起２１が軸１０の止めとなって作用して軸１０を支え、押え板保持部材８の軸１０を中心とした回動を円滑にできるようにしている。従って、押え板保持部材８は軸１０を中心として内側に向って起立した状態に回動することができ、ソケットブロック４上に載置された押え板７の係止溝１４に係止爪１３を係合させることによって押え板７を固定、保持することができる。
【００２３】
このように、本発明が適用されるＩＣソケット１は、ソケットブロック４が装着される枠体３が複数個のボルト９によってプリント基板２に固着され、この枠体３に、錠止アーム６の錠止爪１８と枠体３の突部１９とから構成される錠止手段によってソケットブロック４が着脱可能に装着できる。また、ソケットブロック４には多数のコンタクトピン５が配設されており、これらコンタクトピン５の上にＩＣパッケージＨを配置して押え板７を載せて、押え板保持部材８をほぼ垂直な状態にまで軸１０周りに回動して係止爪１３を係止溝１４に係合させることによって、ＩＣソケット１を一体的に組み立てることができる。
【００２４】
このように構成された本発明のＩＣソケットにおけるコンタクトピンの一括交換に就いて以下に説明する。
【００２５】
本発明において、汚れや損傷、または他の何等かの理由によってコンタクトピン５をソケットブロック４ごと全て取り出して交換する場合には、先ず、図２に示されるように、左右両側の押え板保持部材８をそれぞれ軸１０周りに外方に回動して係止アーム１２の係止爪１３を押え板７の係止溝１４から外して、押え板７を矢印で示されるように上方に引き上げてソケットブロック４から取り外す。そして、押え板７から外した押え板保持部材８は、そのままほぼ水平な状態に支持し、次いで、図３に示されるように、押え板保持部材８を、矢印で示されるように、内方に向って押して、押え板保持部材８のフィンガー状の押圧部１１によってソケットブロック４の錠止アーム６を内側に向って弾性変位させれば、錠止手段としての錠止アーム６の錠止爪１８が、枠体３の突部１９から離れて図４に示される状態になる。
【００２６】
次いで、この状態からソケットブロック４を図５の矢印で示されるように、上方に引き上げれば、ソケットブロック４を枠体３から取り出すことができるのでコンタクトピン５をソケットブロック４ごと一緒に、一括して交換することができる。従って、交換すべき新たなコンタクトピン５が装着された新しいソケットブロック４を枠体３内に組み入れることによって、枠体３の突部１９にソケットブロック４の錠止アーム６の先端の錠止爪１８が係合されて錠止されて枠体３にソケットブロック４が固持されるので、新たなコンタクトピン５を有するソケットブロック４をプリント基板２上の枠体３に組み込むことができる。
【００２７】
上記のように構成された本発明が適用されるＩＣソケット１において、ソケットブロック４に装着されるコンタクトピン５の全てを交換する場合には、ソケットブロック４とコンタクトピン５をブロックごと取外すので、大量のコンタクトピン５を全部一度に一括して交換することができ、しかも簡単に行うことができるので、コンタクトピン５のソケットブロック４ごとの交換を一括して適切に短時間に行なうことができ、経済的である。
【００２８】
【発明の効果】
以上説明したように、本発明の請求項１記載のＩＣソケットのコンタクトピンの交換方法は、プリント基板に固着された枠体と、該枠体に取外し可能に取付けられるソケットブロックと、該ソケットブロック内に配設されるコンタクトピン上に装着されるＩＣパッケージと、前記ソケットブロックとコンタクトピン上に載置される押え板とを有するＩＣソケットのコンタクトピンの交換方法において、
前記枠体に枢支された前記押え板保持部材が、前記枠体に軸回りに回動可能に支持されると共に横方向に滑動可能に枢支され、前記ソケットブロックに形成された弾性変位可能な錠止アームを押圧して前記ソケットブロックを前記枠体に取外し可能に錠止する錠止手段を解錠できるので、沢山のコンタクトピンを全部一度に一括して交換することができ、しかも簡単に行うことができると共に、コンタクトピンをソケットブロックごと短時間に交換を行なうことができ、経済的であり、押え板の保持と錠止手段の解錠との２つの操作を兼用でき、構成を簡略化することができる。
【００３２】
本発明の請求項２記載のＩＣソケットのコンタクトピンの交換方法は、前記押え板保持部材を枢支する軸が、前記枠体の横方向の切欠き通路内に保持されると共に、該切欠き通路に沿って移動できるので、好適に構成することができ、簡略化することができる。
【００３３】
本発明の請求項３記載のＩＣソケットは、プリント基板に固着された枠体と、該枠体に取外し可能に取付けられるソケットブロックと、該ソケットブロックに配設されるコンタクトピン上に装着されるＩＣパッケージと、前記ソケットブロックとコンタクトピン上に載置される押え板と、前記ソケットブロックを前記枠体に離脱可能に錠止する錠止手段と、前記ソケットブロック上に前記押え板を取外し可能に保持するように前記枠体に枢支された押え板保持部材とを有するＩＣソケットにおいて、
前記押え板保持部材が、前記枠体に軸回りに回動可能に支持されると共に横方向に滑動可能に枢支され、前記ソケットブロックに形成された弾性変位可能な錠止アームを押圧して前記錠止手段を解錠できるので、前記枠体から前記ソケットブロックを取外して、沢山のコンタクトピンを全部一度に一括して交換することができ、しかも簡単に行うことができると共に、コンタクトピンをソケットブロックごと短時間に交換を行なうことができ、経済的であり、押え板の保持と錠止手段の解錠との２つの操作を兼用でき、構成を簡略化することができる。
【００３７】
本発明の請求項４記載のＩＣソケットは、前記押え板保持部材を枢支する軸が、前記枠体の横方向の切欠き通路内に保持されると共に、該切欠き通路に沿って移動できるので、好適に構成することができ、簡略化することができる。
【図面の簡単な説明】
【図１】本発明のＩＣソケットのコンタクトピンの交換方法が実施されるＩＣソケットの平面図である。
【図２】図１のＩＣソケットの中央縦断面図である。
【図３】本発明のＩＣソケットの交換方法の実施例１におけるソケットブロックの錠止を解除する前の中央縦断面図である。
【図４】図３の本発明のＩＣソケットにおけるソケットブロック錠止機構を解除する時の中央縦断面図である。
【図５】図３の本発明のＩＣソケットにおけるソケットブロック錠止機構を解除してソケットブロックを引き上げた時の中央縦断面図である。
【符号の説明】
１      ＩＣソケット
２      プリント基板
３      枠体
４      ソケットブロック
５      コンタクトピン
６      錠止アーム
７      押え板
８      押え板保持部材
９      ボルト
１０    軸
１１    押圧部
１２    係止アーム
１３    係止爪
１４    係止溝
１５    突出部
１６    孔
１７    窪み部
１８    錠止爪
１９    突部
２０    切欠き通路
２１    突起
【図１】
0003606375.tif 000002
【図２】
0003606375.tif 000003
【図３】
0003606375.tif 000004
【図４】
0003606375.tif 000005
【図５】
0003606375.tif 000006